(57)【要約】【課題】  直接的なサービスの提供を行うことにより、顧客により強くサービスを訴求すること。【解決手段】  システムはクレジット機能を持つ携帯電話１０１、店舗端末１０２、決済処理センター１０３、ポイント管理機能等の各種サーバを含むホスト１０４、第２のネットワークである携帯インターネット１０５、トランザクション処理サーバである携帯サーバ１０６等からなる。通常、携帯電話１０１および店舗端末１０２は店舗内で使用されるが、携帯電話１０１は例えば入出力部、記憶部および通信部を持つ他のいずれかの携帯端末とすることもできる。【選択図】  図１
2006268376.tif 000002
【特許請求の範囲】
【請求項１】
顧客との間の取引を決済するため顧客情報を受信する顧客情報受信手段と、前記取引の決済を行うため該顧客情報に基づいて決済情報を生成し送信する決済情報送信手段とを含む店舗端末と、
前記顧客情報を記憶する顧客情報記憶手段と、第１のネットワークを介して前記店舗端末に前記顧客情報を送信する顧客情報送信手段と、前記取引に関連する所定のポイントを記憶するポイント記憶手段と、第２のネットワークを介して該ポイント記憶手段に記憶された所定のポイントのうち所望のポイント数のポイント処理を行うよう要求するポイント処理要求を送信するポイント処理要求送信手段とを含む携帯端末と、
前記携帯端末からポイント処理要求を受信すると、前記顧客の取引の請求処理をする際に前記受信された所望のポイント数に対応する金額を減算して請求処理を行うことを要求する減算請求処理要求を送信する減算請求処理要求手段とを含むトランザクション処理サーバと
を備えたことを特徴とするポイント処理システム。
【請求項２】
前記携帯端末は、前記取引に関連する所定のポイントを受信するポイント受信手段をさらに含み、
前記トランザクション処理サーバは、前記第２のネットワークを介して前記携帯端末に前記所定のポイントを送信するとともに、前記顧客ごとに管理された累積ポイント数を記憶するポイントデータベースの累積ポイント数から前記所定のポイントを減算するよう要求するポイント減算要求を送信するポイント減算要求手段をさらに含むことを特徴とする請求項１に記載のポイント処理システム。
【請求項３】
前記顧客ごとの取引額を含む取引情報を記憶する取引データベースと、該取引データベースに記憶された所定の期間ごとの取引額を集計して前記顧客ごとの請求処理および該請求処理にかかる請求額により口座決済を行うよう要求する請求処理手段とを含む請求処理サーバをさらに備え、
前記請求処理手段は、前記減算請求処理要求を受信すると、前記取引額を集計した額から前記所望のポイント数に対応する金額を減算した額を前記請求額として口座決済を行うよう要求することを特徴とする請求項１または２に記載のポイント処理システム。
【請求項４】
前記携帯端末は、前記ポイントデータベースに記憶されたポイント数を前記トランザクション処理サーバから受信するポイント受信手段と、前記受信したポイント数を表示して前記ポイント処理を行う所望の処理ポイント数の入力を受け取る処理ポイント指定手段とをさらに含むことを特徴とする請求項１、２または３に記載のポイント処理システム。
【請求項５】
顧客情報を記憶する顧客情報記憶手段と、
取引を決済するため第１のネットワークを介して前記顧客情報を送信する顧客情報送信手段と、
前記取引に関連する所定のポイントを記憶するポイント記憶手段と、
第２のネットワークを介して該ポイント記憶手段に記憶された所定のポイントのうち前記所望のポイント数に対応する金額を減算して請求処理を行うことを要求するポイント処理要求を送信するポイント処理要求送信手段と
を備えたことを特徴とする携帯端末。
【請求項６】
顧客情報を記憶し、第１のネットワークを介して前記顧客情報を送信し、取引の決済を行なう携帯端末から、前記取引に関連する所定のポイントのうち所望のポイント数のポイント処理要求を第２のネットワークを介して受信するポイント処理要求受信手段と、
前記ポイント処理要求を受信すると前記受信された所望のポイント数に対応する金額を減算して請求処理を行うことを要求する減算請求処理要求を送信する減算請求処理要求手段と
を備えたことを特徴とするトランザクション処理サーバ。
【請求項７】
顧客との間の取引を決済するため顧客情報を受信する顧客情報受信手段と、前記取引の決済を行うため該顧客情報に基づいて決済情報を生成し送信する決済情報送信手段とを含む店舗端末と、
前記店舗端末から決済情報を受信すると、該決済情報により前記取引の決済を行った結果を前記店舗端末に送信する決済サーバと、
前記顧客情報を記憶する顧客情報記憶手段と、第１のネットワークを介して前記店舗端末に前記顧客情報を送信する顧客情報送信手段と、前記取引に関連する所定のポイントを記憶するポイント記憶手段と、第２のネットワークを介して該ポイント記憶手段に記憶された所定のポイントのうち所望のポイント数のポイント処理を行うよう要求するポイント処理要求を送信するポイント処理要求送信手段とを含む携帯端末と、
前記携帯端末からポイント処理要求を受信すると、前記受信された所望のポイント数を含む減算請求処理要求を送信する減算請求処理要求手段とを含むトランザクション処理サーバと
前記決済サーバから前記取引の情報を受け取って、顧客ごとに該取引を含む所定の期間における取引情報を記憶する取引情報管理手段と、前記取引情報を読み出して前記顧客の取引の請求処理をする際に前記送信された減算請求処理要求の所望のポイント数に対応する金額を減算して請求処理を行う減算請求処理手段とを含む口座決済処理サーバと
を備えたことを特徴とするポイント処理システム。
【請求項８】
顧客との間の取引を決済するため顧客情報を受信する顧客情報受信ステップと、前記取引の決済を行うため該顧客情報に基づいて決済情報を生成し送信する決済情報送信ステップとを含むステップと、
前記顧客情報を記憶する顧客情報記憶ステップと、第１のネットワークを介して前記店舗端末に前記顧客情報を送信する顧客情報送信ステップと、前記取引に関連する所定のポイントを記憶するポイント記憶ステップと、第２のネットワークを介して該ポイント記憶ステップに記憶された所定のポイントのうち所望のポイント数のポイント処理を行うよう要求するポイント処理要求を送信するポイント処理要求送信ステップとを含む携帯端末処理ステップと、
前記携帯端末からポイント処理要求を受信すると、前記顧客の取引の請求処理をする際に前記受信された所望のポイント数に対応する金額を減算して請求処理を行うことを要求する減算請求処理要求を送信する減算請求処理要求ステップとを含むポイント処理ステップと
を備えたことを特徴とするポイント処理方法。
【請求項９】
前記携帯端末が、前記取引に関連する所定のポイントを受信するポイント受信ステップをさらに含み、
前記ポイント処理ステップは、前記第２のネットワークを介して前記携帯端末に前記所定のポイントを送信するとともに、前記顧客ごとに管理された累積ポイント数を記憶するポイントデータベースの累積ポイント数から前記所定のポイントを減算するよう要求するポイント減算要求を送信するポイント減算要求ステップをさらに含むことを特徴とする請求項８に記載のポイント処理方法。
【請求項１０】
前記顧客ごとの取引額を含む取引情報を記憶する取引データベースに記憶された所定の期間ごとの取引額を集計して前記顧客ごとの請求処理および該請求処理にかかる請求額により口座決済を行うよう要求する請求処理ステップをさらに備え、前記請求処理ステップは、前記減算請求処理要求を受信すると、前記取引額を集計した額から前記所望のポイント数に対応する金額を減算した額を前記請求額として口座決済を行うよう要求することを特徴とする請求項８または9に記載のポイント処理方法。
【請求項１１】
前記携帯端末処理ステップは、前記ポイントデータベースに記憶されたポイント数を前記トランザクション処理サーバから受信するポイント受信ステップと、前記受信したポイント数を表示して前記ポイント処理を行う所望の処理ポイント数の入力を受け取る処理ポイント指定ステップとを含むことを特徴とする請求項８、９または１０に記載のポイント処理方法。
【請求項１２】
店舗端末により顧客との間の取引を決済するため顧客情報を受信する顧客情報受信ステップと、前記取引の決済を行うため該顧客情報に基づいて決済情報を生成し送信する決済情報送信ステップとを含むステップと、
携帯端末により、前記店舗端末から決済情報を受信すると、該決済情報により前記取引の決済を行った結果を前記店舗端末に送信するステップ、
前記顧客情報を記憶する顧客情報記憶ステップと、第１のネットワークを介して前記店舗端末に前記顧客情報を送信する顧客情報送信ステップと、前記取引に関連する所定のポイントを記憶するポイント記憶ステップと、第２のネットワークを介して該ポイント記憶ステップに記憶された所定のポイントのうち所望のポイント数のポイント処理を行うよう要求するポイント処理要求を送信するポイント処理要求送信ステップとを含むステップと、
決済サーバにより、前記携帯端末からポイント処理要求を受信すると、前記受信された所望のポイント数を含む減算請求処理要求を送信する減算請求処理要求ステップを含むステップと、
前記決済サーバから前記取引の情報を受け取って、顧客ごとに該取引を含む所定の期間における取引情報を記憶する取引情報管理ステップと、前記取引情報を読み出して前記顧客の取引の請求処理をする際に前記送信された減算請求処理要求の所望のポイント数に対応する金額を減算して請求処理を行う減算請求処理ステップとを含むステップと
を備えたことを特徴とするポイント処理方法。
【請求項１３】
顧客情報を記憶する顧客情報記憶ステップと、
取引を決済するため第１のネットワークを介して前記顧客情報を送信する顧客情報送信ステップと、
前記取引に関連する所定のポイントを記憶するポイント記憶ステップと、
第２のネットワークを介して該ポイント記憶ステップに記憶された所定のポイントのうち前記所望のポイント数に対応する金額を減算して請求処理を行うことを要求するポイント処理要求を送信するポイント処理要求送信ステップと
を備えたことを特徴とする携帯端末処理方法。
【請求項１４】
顧客情報を記憶し、第１のネットワークを介して前記顧客情報を送信し、取引の決済を行なう携帯端末から、前記取引に関連する所定のポイントのうち所望のポイント数のポイント処理要求を第２のネットワークを介して受信するポイント処理要求受信ステップと、
前記ポイント処理要求を受信すると前記受信された所望のポイント数に対応する金額を減算して請求処理を行うことを要求する減算請求処理要求を送信する減算請求処理要求ステップと
を備えたことを特徴とするポイント処理方法。
【請求項１５】
コンピュータに、
顧客情報を記憶する顧客情報記憶ステップと、
取引を決済するため第１のネットワークを介して前記顧客情報を送信する顧客情報送信ステップと、
前記取引に関連する所定のポイントを記憶するポイント記憶ステップと、
第２のネットワークを介して、前記顧客の取引の請求処理をする際に該ポイント記憶ステップに記憶された所定のポイントのうち前記所望のポイント数に対応する金額を減算して請求処理を行うことを要求するポイント処理要求を送信するポイント処理要求送信ステップと
を備えたポイント処理方法を実行させるプログラム。
【請求項１６】
コンピュータに、
顧客情報を記憶し、第１のネットワークを介して前記顧客情報を送信し、取引の決済を行なう携帯端末から、前記取引に関連する所定のポイントのうち所望のポイント数のポイント処理要求を第２のネットワークを介して受信するポイント処理要求受信ステップと、
前記ポイント処理要求を受信すると、前記顧客の取引の請求処理をする際に前記受信された所望のポイント数に対応する金額を減算して請求処理を行うことを要求する減算請求処理要求を送信する減算請求処理要求ステップと
を備えたポイント処理方法を実行させるプログラム。
【請求項１７】
コンピュータに、
顧客情報を記憶する顧客情報記憶ステップと、
取引を決済するため第１のネットワークを介して前記顧客情報を送信する顧客情報送信ステップと、
前記取引に関連する所定のポイントを記憶するポイント記憶ステップと、
第２のネットワークを介して、前記顧客の取引の請求処理をする際に該ポイント記憶ステップに記憶された所定のポイントのうち前記所望のポイント数に対応する金額を減算して請求処理を行うことを要求するポイント処理要求を送信するポイント処理要求送信ステップと
を備えたポイント処理方法を実行させるプログラムを記録した記録媒体。
【請求項１８】
コンピュータに、
顧客情報を記憶し、第１のネットワークを介して前記顧客情報を送信し、取引の決済を行なう携帯端末から、前記取引に関連する所定のポイントのうち所望のポイント数のポイント処理要求を第２のネットワークを介して受信するポイント処理要求受信ステップと、
前記ポイント処理要求を受信すると、前記顧客の取引の請求処理をする際に前記受信された所望のポイント数に対応する金額を減算して請求処理を行うことを要求する減算請求処理要求を送信する減算請求処理要求ステップと
を備えたポイント処理方法を実行させるプログラムを記録した記録媒体。
【発明の詳細な説明】
【技術分野】
【０００１】
本発明は、ポイント処理システム、方法およびプログラムに関し、より詳細には携帯電話を使用したクレジット等の取引に関連してポイント処理を行うポイント処理システム、方法およびプログラムに関する。
【背景技術】
【０００２】
従来から、クレジット決済サービスに付随し、顧客のクレジット利用頻度等に応じて換金やプレゼント等のインセンティブを提供するポイントシステムが使用されている。このようなシステムでは、通常クレジットが使用されるごとにその利用額等に応じて一定のポイントが算出され顧客ごとに記憶される。さらに、クレジットが使用されるとその分のポイントが加算され、ポイント数が累積される。顧客は、累積されたポイント数を一定の割合で利用額に換算し換金するか、あるいはポイント数に応じた商品の送付を受けることができる（例えば、特許文献１を参照）。
【０００３】
一方、従来のクレジットカードを用いたクレジット決済サービスのポイント管理システムにおいては、ポイント交換サービスの利用は顧客が、月ごとの利用明細などで示された累積ポイント数を確認し、その利用を郵送やＷｅｂサイトへのアクセス等で指示することにより処理されている。
【０００４】
【特許文献１】特開平１１−２１３０３２号公報
【発明の開示】
【発明が解決しようとする課題】
【０００５】
しかしながら、従来のポイントシステムにおいては、特に換金する場合、換算された金額の商品券を提供したり、顧客の口座に振り込んだりといった方法により顧客にサービスが提供されるが、個々の取引に関連付けて請求額を割り引くといった、より直接的なサービスの提供ができないため顧客に強くサービスを訴求しにくいという問題がある。
【０００６】
また、ポイントの交換処理が郵送やＷｅｂサイトへのアクセス等の顧客からの指示によるため、実際にポイントを利用するまで時間がかかるという問題がある。
【課題を解決するための手段】
【０００７】
このような目的を達成するために、本出願の請求項１に記載の発明は、ポイント処理システムであって、顧客との間の取引を決済するため顧客情報を受信する顧客情報受信手段と、取引の決済を行うため顧客情報に基づいて決済情報を生成し送信する決済情報送信手段とを含む店舗端末と、顧客情報を記憶する顧客情報記憶手段と、第１のネットワークを介して店舗端末に顧客情報を送信する顧客情報送信手段と、取引に関連する所定のポイントを記憶するポイント記憶手段と、第２のネットワークを介してポイント記憶手段に記憶された所定のポイントのうち所望のポイント数のポイント処理を行うよう要求するポイント処理要求を送信するポイント処理要求送信手段とを含む携帯端末と、携帯端末からポイント処理要求を受信すると、顧客の取引の請求処理をする際に受信された所望のポイント数に対応する金額を減算して請求処理を行うことを要求する減算請求処理要求を送信する減算請求処理要求手段とを含むトランザクション処理サーバとを備えたことを特徴とする。
【０００８】
請求項２に記載の発明は、請求項１に記載のポイント処理システムにおいて、携帯端末は、取引に関連する所定のポイントを受信するポイント受信手段をさらに含み、トランザクション処理サーバは、第２のネットワークを介して携帯端末に所定のポイントを送信するとともに、顧客ごとに管理された累積ポイント数を記憶するポイントデータベースの累積ポイント数から所定のポイントを減算するよう要求するポイント減算要求を送信するポイント減算要求手段をさらに含むことを特徴とする。
【０００９】
請求項３に記載の発明は、請求項１または２に記載のポイント処理システムにおいて、顧客ごとの取引額を含む取引情報を記憶する取引データベースと、取引データベースに記憶された所定の期間ごとの取引額を集計して顧客ごとの請求処理および請求処理にかかる請求額により口座決済を行うよう要求する請求処理手段とを含む請求処理サーバをさらに備え、請求処理手段は、減算請求処理要求を受信すると、取引額を集計した額から所望のポイント数に対応する金額を減算した額を請求額として口座決済を行うよう要求することを特徴とする。
【００１０】
請求項４に記載の発明は、請求項１、２または３に記載のポイント処理システムにおいて、携帯端末は、ポイントデータベースに記憶されたポイント数をトランザクション処理サーバから受信するポイント受信手段と、受信したポイント数を表示してポイント処理を行う所望の処理ポイント数の入力を受け取る処理ポイント指定手段とをさらに含むことを特徴とする。
【００１１】
請求項５に記載の発明は、携帯端末であって、顧客情報を記憶する顧客情報記憶手段と、取引を決済するため第１のネットワークを介して顧客情報を送信する顧客情報送信手段と、取引に関連する所定のポイントを記憶するポイント記憶手段と、第２のネットワークを介してポイント記憶手段に記憶された所定のポイントのうち所望のポイント数に対応する金額を減算して請求処理を行うことを要求するポイント処理要求を送信するポイント処理要求送信手段とを備えたことを特徴とする。
【００１２】
請求項６に記載の発明は、トランザクション処理サーバであって、顧客情報を記憶し、第１のネットワークを介して顧客情報を送信し、取引の決済を行なう携帯端末から、取引に関連する所定のポイントのうち所望のポイント数のポイント処理要求を第２のネットワークを介して受信するポイント処理要求受信手段と、ポイント処理要求を受信すると受信された所望のポイント数に対応する金額を減算して請求処理を行うことを要求する減算請求処理要求を送信する減算請求処理要求手段とを備えたことを特徴とする。
【００１３】
請求項７に記載の発明は、ポイント処理システムであって、顧客との間の取引を決済するため顧客情報を受信する顧客情報受信手段と、取引の決済を行うため顧客情報に基づいて決済情報を生成し送信する決済情報送信手段とを含む店舗端末と、店舗端末から決済情報を受信すると、決済情報により取引の決済を行った結果を店舗端末に送信する決済サーバと、顧客情報を記憶する顧客情報記憶手段と、第１のネットワークを介して店舗端末に顧客情報を送信する顧客情報送信手段と、取引に関連する所定のポイントを記憶するポイント記憶手段と、第２のネットワークを介してポイント記憶手段に記憶された所定のポイントのうち所望のポイント数のポイント処理を行うよう要求するポイント処理要求を送信するポイント処理要求送信手段とを含む携帯端末と、携帯端末からポイント処理要求を受信すると、受信された所望のポイント数を含む減算請求処理要求を送信する減算請求処理要求手段とを含むトランザクション処理サーバと、決済サーバから取引の情報を受け取って、顧客ごとに取引を含む所定の期間における取引情報を記憶する取引情報管理手段と、取引情報を読み出して顧客の取引の請求処理をする際に送信された減算請求処理要求の所望のポイント数に対応する金額を減算して請求処理を行う減算請求処理手段とを含む口座決済処理サーバとを備えたことを特徴とする。
【００１４】
請求項８に記載の発明は、ポイント処理方法であって、顧客との間の取引を決済するため顧客情報を受信する顧客情報受信ステップと、取引の決済を行うため顧客情報に基づいて決済情報を生成し送信する決済情報送信ステップとを含むステップと、顧客情報を記憶する顧客情報記憶ステップと、第１のネットワークを介して店舗端末に顧客情報を送信する顧客情報送信ステップと、取引に関連する所定のポイントを記憶するポイント記憶ステップと、第２のネットワークを介してポイント記憶ステップに記憶された所定のポイントのうち所望のポイント数のポイント処理を行うよう要求するポイント処理要求を送信するポイント処理要求送信ステップとを含む携帯端末処理ステップと、携帯端末からポイント処理要求を受信すると、顧客の取引の請求処理をする際に受信された所望のポイント数に対応する金額を減算して請求処理を行うことを要求する減算請求処理要求を送信する減算請求処理要求ステップとを含むポイント処理ステップとを備えたことを特徴とする。
【００１５】
請求項９に記載の発明は、請求項８に記載のポイント処理方法において、携帯端末が、取引に関連する所定のポイントを受信するポイント受信ステップをさらに含み、ポイント処理ステップは、第２のネットワークを介して携帯端末に前記所定のポイントを送信するとともに、顧客ごとに管理された累積ポイント数を記憶するポイントデータベースの累積ポイント数から所定のポイントを減算するよう要求するポイント減算要求を送信するポイント減算要求ステップをさらに含むことを特徴とする。
【００１６】
請求項１０に記載の発明は、請求項８または９に記載のポイント処理方法において、顧客ごとの取引額を含む取引情報を記憶する取引データベースに記憶された所定の期間ごとの取引額を集計して顧客ごとの請求処理および請求処理にかかる請求額により口座決済を行うよう要求する請求処理ステップをさらに備え、請求処理ステップは、減算請求処理要求を受信すると、取引額を集計した額から所望のポイント数に対応する金額を減算した額を請求額として口座決済を行うよう要求することを特徴とする。
【００１７】
請求項１１に記載の発明は、請求項８、９または１０のいずれかに記載のポイント処理方法において、携帯端末処理ステップは、ポイントデータベースに記憶されたポイント数をトランザクション処理サーバから受信するポイント受信ステップと、受信したポイント数を表示してポイント処理を行う所望の処理ポイント数の入力を受け取る処理ポイント指定ステップとを含むことを特徴とする。
【００１８】
請求項１２に記載の発明は、ポイント処理方法であって、店舗端末により顧客との間の取引を決済するため顧客情報を受信する顧客情報受信ステップと、取引の決済を行うため顧客情報に基づいて決済情報を生成し送信する決済情報送信ステップとを含むステップと、携帯端末により、店舗端末から決済情報を受信すると、決済情報により取引の決済を行った結果を店舗端末に送信するステップ、顧客情報を記憶する顧客情報記憶ステップと、第１のネットワークを介して店舗端末に前記顧客情報を送信する顧客情報送信ステップと、取引に関連する所定のポイントを記憶するポイント記憶ステップと、第２のネットワークを介してポイント記憶ステップに記憶された所定のポイントのうち所望のポイント数のポイント処理を行うよう要求するポイント処理要求を送信するポイント処理要求送信ステップとを含むステップと、決済サーバにより、携帯端末からポイント処理要求を受信すると、受信された所望のポイント数を含む減算請求処理要求を送信する減算請求処理要求ステップを含むステップと、決済サーバから取引の情報を受け取って、顧客ごとに取引を含む所定の期間における取引情報を記憶する取引情報管理ステップと、取引情報を読み出して顧客の取引の請求処理をする際に送信された減算請求処理要求の所望のポイント数に対応する金額を減算して請求処理を行う減算請求処理ステップとを含むステップとを備えたことを特徴とする。
【００１９】
請求項１３に記載の発明は、携帯端末処理方法であって、顧客情報を記憶する顧客情報記憶ステップと、取引を決済するため第１のネットワークを介して顧客情報を送信する顧客情報送信ステップと、取引に関連する所定のポイントを記憶するポイント記憶ステップと、第２のネットワークを介してポイント記憶ステップに記憶された所定のポイントのうち所望のポイント数に対応する金額を減算して請求処理を行うことを要求するポイント処理要求を送信するポイント処理要求送信ステップとを備えたことを特徴とする。
【００２０】
請求項１４に記載の発明は、ポイント処理方法であって、顧客情報を記憶し、第１のネットワークを介して顧客情報を送信し、取引の決済を行なう携帯端末から、取引に関連する所定のポイントのうち所望のポイント数のポイント処理要求を第２のネットワークを介して受信するポイント処理要求受信ステップと、ポイント処理要求を受信すると受信された所望のポイント数に対応する金額を減算して請求処理を行うことを要求する減算請求処理要求を送信する減算請求処理要求ステップとを備えたことを特徴とする。
【００２１】
請求項１５に記載のプログラムは、コンピュータに、顧客情報を記憶する顧客情報記憶ステップと、取引を決済するため第１のネットワークを介して前記顧客情報を送信する顧客情報送信ステップと、取引に関連する所定のポイントを記憶するポイント記憶ステップと、第２のネットワークを介して、顧客の取引の請求処理をする際にポイント記憶ステップに記憶された所定のポイントのうち所望のポイント数に対応する金額を減算して請求処理を行うことを要求するポイント処理要求を送信するポイント処理要求送信ステップとを備えたポイント処理方法を実行させることができる。
【００２２】
請求項１６に記載のプログラムは、コンピュータに、顧客情報を記憶し、第１のネットワークを介して顧客情報を送信し、取引の決済を行なう携帯端末から、取引に関連する所定のポイントのうち所望のポイント数のポイント処理要求を第２のネットワークを介して受信するポイント処理要求受信ステップと、ポイント処理要求を受信すると、顧客の取引の請求処理をする際に受信された所望のポイント数に対応する金額を減算して請求処理を行うことを要求する減算請求処理要求を送信する減算請求処理要求ステップとを備えたポイント処理方法を実行させることができる。
【００２３】
請求項１７に記載のプログラムを記録した記録媒体は、コンピュータに、顧客情報を記憶する顧客情報記憶ステップと、取引を決済するため第１のネットワークを介して顧客情報を送信する顧客情報送信ステップと、取引に関連する所定のポイントを記憶するポイント記憶ステップと、第２のネットワークを介して、顧客の取引の請求処理をする際に該ポイント記憶ステップに記憶された所定のポイントのうち所望のポイント数に対応する金額を減算して請求処理を行うことを要求するポイント処理要求を送信するポイント処理要求送信ステップとを備えたポイント処理方法を実行させることができる。
【００２４】
請求項１８に記載のプログラムを記録した記録媒体は、コンピュータに、顧客情報を記憶し、第１のネットワークを介して顧客情報を送信し、取引の決済を行なう携帯端末から、取引に関連する所定のポイントのうち所望のポイント数のポイント処理要求を第２のネットワークを介して受信するポイント処理要求受信ステップと、ポイント処理要求を受信すると、顧客の取引の請求処理をする際に受信された所望のポイント数に対応する金額を減算して請求処理を行うことを要求する減算請求処理要求を送信する減算請求処理要求ステップとを備えたポイント処理方法を実行させることができる。
【発明の効果】
【００２５】
以上説明したように、本発明によれば、顧客との間の取引を決済するため顧客情報を受信する顧客情報受信手段と、取引の決済を行うため顧客情報に基づいて決済情報を生成し送信する決済情報送信手段とを含む店舗端末と、顧客情報を記憶する顧客情報記憶手段と、第１のネットワークを介して店舗端末に顧客情報を送信する顧客情報送信手段と、取引に関連する所定のポイントを記憶するポイント記憶手段と、第２のネットワークを介してポイント記憶手段に記憶された所定のポイントのうち所望のポイント数のポイント処理を行うよう要求するポイント処理要求を送信するポイント処理要求送信手段とを含む携帯端末と、携帯端末からポイント処理要求を受信すると受信された所望のポイント数に対応する金額を減算して請求処理を行うことを要求する減算請求処理要求を送信する減算請求処理要求手段とを含むトランザクション処理サーバとを備えているので、直接的なサービスの提供を行うことができるため顧客により強くサービスを訴求することが可能となる。
【発明を実施するための最良の形態】
【００２６】
（実施形態）
以下、図面を参照しながら本発明の実施形態について詳細に説明する。  
図１は、本発明にかかる一実施形態のシステム全体を示すブロック図である。本実施形態では、システムは決済機能を持つ携帯電話１０１、店舗端末１０２、決済処理センター１０３、ポイント管理等の各種ホスト１０４、第２のネットワークである携帯インターネット１０５、トランザクション処理サーバである携帯サーバ１０６等からなる。通常、携帯電話１０１および店舗端末１０２は店舗内で使用されるが、携帯電話１０１は例えば入出力部、記憶部および通信部を持つ他のいずれかの携帯端末とすることもできる。また、本実施形態では、決済処理センター１０３には決済機能や認証機能が配置されるが、これらの機能は本技術分野でよく知られているので、詳細は省略する。ここで、携帯インターネットとは、携帯電話のデータ網を介してインターネットに接続する構成をとったネットワークのことであり、各携帯電話キャリアによって異なるデータ網を有するが、最終的には携帯電話１０１はインターネットに接続されることになる。なお、ここでは携帯インターネットについて説明したが無線を用いた同種のインターネット接続であれば本発明に用いることができるのは明らかである。
【００２７】
本実施形態では、顧客が店舗内でクレジット処理を行う場合、まず店舗内のレジスターやＰＯＳシステムで精算を行い、店舗端末１０２を介して決済が行なわれる。本実施形態では、従来のクレジットカードと同様に予め携帯電話１０１に決済に必要な情報である顧客情報が格納されており、この情報が店舗端末１０２を介して取引情報などとともに決済処理センター１０３に送られる。ここで、決済に必要な情報とは、顧客のＩＤ番号や暗証番号などであるが、本実施形態でも本技術分野で用いられる種々の方法を用いることができる。また、このような情報は、通常、顧客がクレジットの申し込みを行い、例えば携帯サーバ１０６などから携帯電話１０１にダウンロードされる。この際、セキュリティを保持するため当業者であれば種々のダウンロード方法を用いることができる。
【００２８】
また、一般に店舗端末１０２から決済処理センター１０３を経由して、あるいはその他の装置を経由して直接送信されたりして取引情報がホスト１０６内に送信され、取引情報として管理される。この後、取引情報に基づいて請求処理やポイントの加算などが処理されるが、その具体的な処理は本技術分野で知られた種々の方法を用いることができる。
【００２９】
（店舗内の決済処理）
図２は、本実施形態の主に店舗内において行なわれる決済処理を行う構成要素を示すブロック図である。店舗端末１０２は、顧客情報受信部２０１、決済情報送信部２０２、決済結果受信部２０３および入出力部２０４を備える。例えば赤外線通信による決済処理を行う場合は、顧客の携帯電話１０１から顧客情報を赤外線インタフェースを介して顧客情報受信部３０１が受信する。その後、店舗端末１０２は、顧客情報に種々の情報を合わせて決済情報を作成して送信する。種々の情報および決済情報については、本技術分野で知られた情報を用いることができ、例えば店舗端末１０２の入出力部２０４から利用金額が入力され、あるいはＰＯＳシステムから受信するなどにより利用・取引金額を取得するようにすることもできる。
【００３０】
本実施形態では、携帯電話の赤外線インタフェースを利用したが、これに限られず種々のインタフェース、通信方法を使用することができる。そのような通信方法としては、Ｅｄｙ（登録商標）やＳｕｉｃａ（登録商標）などの決済処理も含めることができる。
【００３１】
以上により、携帯電話１０１を用いて決済処理を行うことにより、この決済機能で処理された取引と、後述するポイント処理とを関連付けることができるのが本発明の特徴である。ここで、本実施形態で取引とはクレジット決済を用いた商品の売買であるが、これに限られずクレジット以外の取引、例えばＥｄｙやＳｕｉｃａ（登録商標）のようなチップにチャージされた電子マネーを使用した取引も含まれる。
【００３２】
（電子クーポンのダウンロード）
図３は、ポイント管理機能３０１を含むホスト１０４および携帯サーバ１０６を示すブロック図である。ホスト１０４は、後述するようにその他の機能も備えるがポイント管理機能３０１を備え、ポイント管理機能３０１はポイント管理部３０２およびポイントデータベース３０５などから構成される。ポイントデータベース３０５には顧客ごとに累積ポイント数が記憶され、ポイント管理部３０２は、取引金額に基づいて所定の割合でポイント数を計算し、ポイントデータベース３０５に格納されている現在のポイント累計にこのポイント数を加算してさらに格納することによりポイントデータベース３０５を管理、維持する。
【００３３】
ここで、ポイント数は、これに限られることなく種々の装置を経由して取引金額の情報を受け取ることもできる。また、本実施形態では取引金額の所定の割合でポイント数を算出したが、これに限られることなく本技術分野で知られたポイント算出法のいずれも使用することができ、さらに取引金額にかかわらず所定の店舗のサービスや他のカードの利用をポイントに反映させる等しても本発明の技術的範囲に含まれるのは明らかである。
【００３４】
次に、携帯電話１０１が携帯サーバ１０６からポイント（電子クーポン）のダウンロードを受ける処理のフローを図６に示す。図６は、本実施形態のポイント（電子クーポン）のダウンロード処理を示すフローチャートである。携帯電話１０１から携帯サーバ１０６にログインすることにより、累積ポイント数の範囲で、そのポイントを所望の商品やギフト券などに交換するよう指示することができる。いずれのサービスが処理されるときも、ポイント処理要求部３０３は、ポイント管理部３０２にアクセスして、交換に使用されたポイント分をポイントデータベース３０５から減算するように要求し、これにより同期が取られる。
【００３５】
図４は、本発明の一実施形態の携帯電話１０１を示すブロック図である。図４に示すように携帯電話１０１は、表示部４０１、入力部４０２、ポイント受信部４０４、ポイント処理要求部４０５および顧客情報記憶部４０６を備える。なお、顧客情報送信部４０３は主に携帯サーバ１０６の決済処理で用いて、ポイント管理機能とのやり取りに用いて顧客の正当性を示すようにすることもできるが、携帯サーバ１０６に累積ポイント数の取得を要求するときのログインにも用いられる。表示部４０１および入力部４０２は、所定の情報を顧客に提示し、および顧客の指示を受け取って上位のサーバとやり取りをするために使用される。
【００３６】
顧客がポイントを利用して換金、すなわちクレジットで購入した商品の代金の一部に充当する（本実施形態では電子クーポン発行、使用）場合を説明する。本実施形態では、まず電子クーポンに交換したい分のポイントを携帯サーバ１０６へ指示、電子クーポンを携帯電話１０１にダウンロードさせ、その後ダウンロードされた電子クーポンから実際に処理に使用する分を指定して携帯サーバ１０６に指示を行なう。図６は、前半のダウンロード処理のフローの処理を、図７は後半の電子クーポンの指定の処理を示す。ここで、本実施形態で換金（電子クーポンの交換）は、例えば１０００円を単位として処理したい分を顧客が要求してダウンロードされる。
【００３７】
具体的は、顧客が累積したポイントを電子クーポンとして使用しようとする場合、まず当面必要な電子クーポンを携帯サーバ１０６から携帯電話１０１にダウンロードして格納する。すなわち、顧客は携帯電話１０１を介して所望のポイント数をポイント処理要求部３０３に要求すると、ポイント管理機能３０２がポイントデータベース３０５に記憶されたポイント情報の確認を要求して、指定されたポイント数が存在している場合は、指定されたポイントに相当する電子クーポンが生成される。
【００３８】
次に上述の商品発送のときと同様に、累積ポイントを電子クーポン生成分だけ減算するようポイント管理部３０２に要求する。その後、ワレットアプリケーション（携帯電話アプリ）を起動し携帯サーバ１０６において生成された電子クーポンを携帯電話１０１にダウンロードする。このようにすることにより携帯電話１０１の画面上にはワレット（財布）アプリケーションにより電子クーポンが表示され、以後記憶した電子クーポンを現金と類似した概念として取り扱うことができる。図８は、本実施形態の以上の電子クーポンのダウンロード処理の際の携帯電話１０１の画面を示す図であり、この表示の例では、１０００円分（のクーポン）が５枚ダウンロードされている。
【００３９】
さらに、ダウンロードした電子クーポンの残りは、次のクレジット取引で使用することもできる。また、さらにダウンロードを行なえば残りの電子クーポンに追加されてワレットに入れられるが、ポイントデータベースとワレット内の電子クーポンとは、本技術分野で知られた方法により同期がとられ、誤ってポイントが喪失したり、加算されたりすることがないようにされる。
【００４０】
（電子クーポンの処理）
以上により、電子クーポンのダウンロードについて説明したが、このようにして獲得された電子クーポンを顧客の指定に合わせて処理する「電子クーポンの処理」について以下に説明する。本実施形態で顧客は、累積した電子クーポンをどのように使用するか携帯電話１０１から指示をすることができる。
【００４１】
図５は、本発明の一実施形態のポイント処理を行うホスト１０４内の請求処理部５０１を示すブロック図である。本実施形態では、請求処理部５０１は、クーポン利用情報受信部５０２、取引情報処理部５０３、取引データベース５０４および請求処理部５０５を備える。
【００４２】
ワレットＡＰが起動され所望の電子クーポンを保持した携帯電話１０１においてクレジット決済を行う場合、図９に示す携帯電話１０１の画面に表示されているように、顧客は保持された電子クーポンのうち使用する電子クーポン分を指定しておく。その後、クレジット決済、すなわち上述の決済処理を行うことにより、決済処理を行った取引と電子クーポンの行使とを関連付け、すなわち、そのクレジット決済には取引を行なった顧客が、それに伴ってキャッシュバック処理を依頼したことが紐付けられる。これにより、例えばクレジット決済を行なった顧客にだけキャッシュバックを認めるといったサービスが可能となる。
【００４３】
ここで、図９では電子クーポン分として具体的な金額を示しているが、ポイント数をそのまま表示、指定させることもできる。また、決済処理の後に処理すべきポイント数の指定を行なうことができるのは言うまでもなく、この場合、決済処理を行うと自動的に電子クーポンの指定画面を表示（オートランチ）させ、顧客がサービスの提供を受けるのを容易にさせることもできる。なお、本実施形態では、取引に伴うキャッシュバックであることを識別できれば良い。このようなことをすることにより、取引とキャッシュバック等のサービスを対応付けてきめ細かく管理することも可能である。
【００４４】
次に、顧客が携帯電話１０１で「センター照会」を行なうと、使用されたポイント数が携帯サーバ１０６を経由してクーポン利用情報受信部５０２に送信され、受信された電子クーポン額に相当するキャッシュバック額の減額を行なうように請求処理部５０１の請求処理部５０５に減額要求が送信される。ここで、電子クーポン額とキャッシュバック額とはどのような段階でどのように変換することもできる。すなわち、上述のようにクーポン利用情報受信部５０２でキャッシュバック額に変換しても良いし、携帯電話１０１から送信される段階でキャッシュバック額としておいても良い。また、本実施形態では、顧客が意識して「センター照会」をしたが、例えば次の携帯サーバアクセスの機会にあわせて自動的にクーポン利用情報を送信するようにすることもできる。
【００４５】
請求処理部５０５は、例えばクレジット取引の場合、取引データベース５０４に格納された決済情報に基づいて、一定期間（通常は、例えば１月ごと）、その顧客についてのその期間の支払うべき金額を算出して顧客に請求書を発行するとともに、例えば金融機関の顧客の口座からその金額を引き落とす処理を要求する。ここで、この口座決済の手法はこれに限られず、本技術分野でしられた方法を使用することができる。
【００４６】
請求処理部５０５は、クレジット取引の場合、クーポン利用情報受信部５０２からキャッシュバック金額を受け取るとその金額を記憶しておき、口座決済処理の際に、その金額を差し引いた額をその期間の口座決済すべき金額として口座決済処理を行う。これにより、顧客は取引時にキャッシュバックを指定し、口座決済時にその割引を受けることができる。一方、Ｅｄｙ、Ｓｕｉｃａ等の電子マネーを利用した取引の場合は、キャッシュバック相当額を電子マネーの形で顧客にダウンロードさせる方法が考えられる。
【００４７】
以上、キャッシュバックの精算処理について説明したが、本実施形態と異なる構成であっても本発明の技術的思想に沿って変更する限り、本発明の技術的範囲に含まれる。すなわち、本実施形態では携帯電話１０１をワレットに見立てているが、これに限られず、より簡易に累積ポイントを確認して（あるいは確認する必要もなく）、携帯電話１０１からキャッシュバックの指示および所望のポイント数をホスト１０４に送信して、ホスト１０４はポイントデータベース４０５を更新することができる。
【００４８】
以上のように、携帯インターネット等によりリアルタイムで決済およびポイント処理の指定を行なうことにより、店舗端末で実際に累積ポイントに基づく割引ができるようにシステムの変更等を行なわなくても、顧客は多様な精算方法により同様の割引サービスを受けることができる。
【００４９】
また、顧客の行なう取引と顧客の所望するサービスとの関連付けができるので、例えば携帯電話を用いたクレジット決済を促進するため、携帯電話によるクレジットにより決済を利用する顧客には有利なポイント交換レートでキャッシュバックをするといったことが可能となる。したがって、本発明は、携帯電話を用いたクレジット決済に限定されることなく、種々の取引においてポイント処理を行う場合に適用することができる。
【図面の簡単な説明】
【００５０】
【図１】本発明にかかる一実施形態のシステム全体を示すブロック図である。
【図２】本実施形態の主に店舗内において行なわれる決済処理を行う構成要素を示すブロック図である。
【図３】本発明の一実施形態のポイント管理機能を含むホストおよび携帯サーバを示すブロック図である。
【図４】本発明の一実施形態の携帯電話の構成を示すブロック図である。
【図５】本発明の一実施形態のポイント処理を行う場合のホスト内の請求処理部を示すブロック図である。
【図６】本発明にかかる一実施形態の累積されたポイントの処理のフローを示す図である。
【図７】本発明にかかる一実施形態の累積されたポイントの処理のフローを示す図である。
【図８】本発明にかかる一実施形態の携帯電話の表示の例を示す図である。
【図９】本発明にかかる一実施形態の携帯電話の表示の例を示す図である。
【符号の説明】
【００５１】
１０１  携帯電話
１０２  店舗端末
１０３  決済処理センター
１０４  ホスト
１０５  携帯インターネット
１０６  携帯サーバ
２０１  顧客情報受信部
２０２  決済情報送信部
２０３  決済結果受信部
２０４  入出力部
２１１、２１２  ネットワーク
３０１  ポイント管理機能
３０２  ポイント管理部
３０３  ポイント処理要求部
３０５  ポイントデータベース
４０１  表示部
４０２  入力部
４０４  ポイント受信部
４０５  ポイント処理要求部
４０６  顧客情報記憶部
５０１  請求処理部
５０２  クーポン利用情報受信部
５０３  取引情報受信部
５０４  取引データベース
５０５  請求処理部
【図１】
2006268376.tif 000003
【図２】
2006268376.tif 000004
【図３】
2006268376.tif 000005
【図４】
2006268376.tif 000006
【図５】
2006268376.tif 000007
【図６】
2006268376.tif 000008
【図７】
2006268376.tif 000009
【図８】
2006268376.tif 000010
【図９】
2006268376.tif 000011